(57)【要約】【課題】簡易な構成で、回転体を任意の回転角度でアームに固定することができる装身具を提供することを目的とする。【解決手段】本考案の装身具１０は、環状の一部に直線状のシャフト２２を形成したアーム２０と、前記シャフト２２が貫通する貫通孔を備えた回転体３０を備え、前記シャフト２２の軸周りを前記回転体３０が回転可能な装身具１０であって、前記回転体３０は、前記シャフトの軸芯と直交する方向から接して前記シャフト２２の軸周りを任意の回転角度で固定可能な回転角度調整手段５０を備えたことを特徴としている。【選択図】    図１
0003205733.tif 000002
【実用新案登録請求の範囲】
【請求項１】
環状の一部に直線状のシャフトを形成したアームと、前記シャフトが貫通する貫通孔を備えた回転体を備え、前記シャフトの軸周りを前記回転体が回転可能な装身具であって、
前記回転体は、前記シャフトの軸芯と直交する方向から接して前記シャフトの軸周りを任意の回転角度で固定可能な回転角度調整手段を備えたことを特徴とする装身具。
【請求項２】
前記シャフトは、少なくとも一部の断面形状が多角形状であることを特徴とする請求項１に記載の装身具。
【請求項３】
前記回転角度調整手段は、前記シャフトの軸心と直交する方向から面接触する付勢部を備えたことを特徴とする請求項１又は２に記載の装身具。
【請求項４】
前記付勢部は、板ばねであることを特徴とする請求項３に記載の装身具。
【請求項５】
前記付勢部は、前記シャフトを間に挟むように前記回転体に一対設けたことを特徴とする請求項３又は４に記載の装身具。
【考案の詳細な説明】
【技術分野】
【０００１】
本考案は、装飾部と、これを支持するアームからなる指輪などの装身具において、アームに支持される装飾部が回転自在な装身具に関する。
【背景技術】
【０００２】
従来、装飾部と、これを支持するアームからなる指輪などの装身具において、装飾部を回転自在に構成した指輪がある。
特許文献１に開示の指輪は、装飾部材を環状支持部材の一対の支軸に回転可能に支持させて、装飾部材の表裏で異なる装飾部材のいずれか一方を表側にすることができる。
【０００３】
特許文献２に開示の指輪は、一部開口したリング部の開口に回転軸を取り付け、回転軸に回転自在に宝石台を取り付けている。
特許文献３に開示の指輪は、一部開口した支持部材と、開口壁面の軸孔に回転可能に回転体を取り付けている。回転体は２面以上に装飾体を取り付け、回転体を任意の回転位置で係止させる係止手段を設けている。
【先行技術文献】
【特許文献】
【０００４】
【特許文献１】特開２００１−２１７号公報
【特許文献２】実開平５−２８２１３号公報
【特許文献３】特開２０１１−１０８５６号公報
【考案の概要】
【考案が解決しようとする課題】
【０００５】
しかしながら、特許文献１、２に開示の指輪は、一部開口を有する環状の支持部材に装飾部材を自由回転させる構成であり、装飾部材を任意の位置で固定することができない。
また、特許文献３に開示の指輪は、装飾体を備えた回転体を任意の回転位置で係止させることができるが、回転体の厚みが大きくなり場合によって美観を損ね、部品数が多く構成が複雑になるなどの問題があった。
【０００６】
そこで本考案は、上記従来技術の問題点に鑑み、簡易な構成で、回転体を任意の回転角度でアームに固定することができる装身具を提供することを目的としている。
【課題を解決するための手段】
【０００７】
上記の課題を解決するための第１の手段として、本考案は、環状の一部に直線状のシャフトを形成したアームと、前記シャフトが貫通する貫通孔を備えた回転体を備え、前記シャフトの軸周りを前記回転体が回転可能な装身具であって、
前記回転体は、前記シャフトの軸芯と直交する方向から接して前記シャフトの軸周りを任意の回転角度で固定可能な回転角度調整手段を備えたことを特徴とする装身具を提供することにある。
上記構成によれば、簡易な構成で、アームのシャフトに対して回転体を任意の回転角度で固定することができる。
【０００８】
上記の課題を解決するための第２の手段として、本考案は、第１の手段において、前記シャフトは、少なくとも一部の断面形状が多角形状であることを特徴とする装身具を提供することにある。
上記構成によれば、多角形状に応じて段階的に、回転体を任意の回転角度でアームに固定することができる。
【０００９】
上記の課題を解決するための第３の手段として、本考案は、第１又は第２の手段において、前記回転角度調整手段は、前記シャフトの軸心と直交する方向から面接触する付勢部を備えたことを特徴とする装身具を提供することにある。
上記構成によれば、回転体を低背化、薄型化し、装身具の全体形状を小型化することができる。
【００１０】
上記の課題を解決するための第４の手段として、本考案は、第３の手段において、前記付勢部は、板ばねであることを特徴とする装身具を提供することにある。
上記構成によれば、回転体の全体形状を小型化及び低背化することができる。
【００１１】
上記の課題を解決するための第５の手段として、本考案は、第３又は第４の手段において、前記付勢部は、前記シャフトを間に挟むように前記回転体に一対設けたことを特徴とする装身具を提供することにある。
上記構成によれば、回転体を任意の回転角度でアームのシャフトに確実に固定することができる。
【考案の効果】
【００１２】
本考案によれば、簡易な構成で、回転体を任意の回転角度でアームのシャフトに固定することができ、かつ回転体を小型化することができ、指輪、ネックレスなどの装身具として有効利用できる。
【図面の簡単な説明】
【００１３】
【図１】本考案の装身具の正面図及び側面図である。
【図２】本考案の装身具の構成部品の説明図である。
【図３】本考案の装身具の作用の説明図である。
【図４】本考案の装身具の変形例１の説明図である。
【図５】本考案の装身具の変形例２の説明図である。
【考案を実施するための形態】
【００１４】
本考案の装身具の実施形態について、添付の図面を参照しながら、以下詳細に説明する。
【００１５】
［装身具１０］
図１は、本考案の装身具の（１）正面図及び（２）側面図である。図２は本考案の装身具の構成部品の説明図であり、（１）は回転体のケーシングの正面図、（２）は回転体のカバーの背面図、（３）はアームの正面図である。
図示のように、本考案の装身具１０は、アーム２０と、回転体３０と、回転角度調整手段５０を主な基本構成としている。
【００１６】
アーム２０は、環状の一部にシャフト２２を形成したものである。シャフト２２は、直線状に形成し中央付近に当接部２４を設けている。当接部２４は、後述する回転角度調整手段５０と面接触するものである。図１，２に示す当接部２４は、シャフト２２の軸方向と交差する断面視で四角形となるように形成している。このような当接部２４は、円柱状のシャフト２２の一部をプレス加工することにより形成できる。本実施形態のアーム２０は、直線状のシャフト２２以外をＵ字型に形成している。またシャフト２２の長さは、後述する回転体３０の直径とほぼ同じ長さに設定している。
なお、シャフト２２は固定手段を用いてアーム２０に固定、又はアーム２０と一体的に形成し、アーム２０に対して自由回転しないように構成されている。
【００１７】
回転体３０は、ケーシング３２とカバー３４から構成されている。ケーシング３２は、正面視で円形に形成し、直径方向にシャフト２２が嵌る第１溝３６を形成している。またケーシング３２は一回り小さい円形のカバー３４が嵌る円形の第２溝３８を形成している。カバー３４は、第１溝３６の両端と対向する箇所に一対のカバー側溝３５を形成し、ケーシング３２に嵌め合わせた際、シャフト２２を回転自在に支持している。ケーシング３２とカバー３４は、第１溝３６と直交する箇所と一対の凹部４０と一対の凸部４２を形成し、嵌め合わせる際に位置合わせを容易にしている。またケーシング３２とカバー３４を嵌め合わせると、第１溝３６がカバー３４で覆われて、シャフト２２の貫通孔を形成することができる。貫通孔にシャフト２２を通すことにより、シャフト２２の軸回りを回転体３０が回転自在な構成となる。
【００１８】
第１溝３６の中央付近には、第３溝４４を形成している。第３溝４４には回転角度調整手段５０を取り付けている。回転角度調整手段５０は、シャフト２２の軸芯と直交する方向から接し、より具体的にはシャフト２２の当接部２４と面接触する付勢部によって、アーム２０に対する回転体３０の回転角度を任意に調整するものである。図１，２に示す回転角度調整手段５０の付勢部は、板ばね５２を用いている。板ばね５２は、薄板状の鋼材をＵ字形に折り曲げたものであり、板ばね５２の一辺を第３溝４４の固定部４５に固定し、他辺が第１溝３６の中心側に向けてほぼＶ字形となるように拡げて取り付けている。また板ばね５２の横幅はシャフト２２の直径とほぼ同じ長さに設定している。このような板ばね５２は、第１溝３６を間に挟むように一対取り付けて、他辺どうしが接近する方向、換言すると第１溝３６の中心に向けて付勢するように取り付けている。なお板ばね５２は一対のいずれか一方のみ取り付ける構成であっても良い。
【００１９】
［作用］
上記構成による本考案の装身具１０の作用について以下説明する。
図３は本考案の装身具の作用の説明図である。同図は、図１のＡ−Ａ矢視図であり、シャフト２０の軸回りを回転体３０が回転する様子を示している。図示のように、当接部２４はシャフト２２の軸心と直交する断面視で四角形となるように形成している。そして、回転角度調整手段５０の付勢部である板ばね５２は、他辺どうしが第１溝３６の中心、換言すると当接部２４の中心に向けて付勢している。この当接部２４の対向する側面と付勢部が接触した状態は安定している。
そして、回転体３０がシャフト２２の軸回りを回転し、当接部２４の対向する角部を通過する際に板ばね５２の付勢方向と反対方向へ押し戻され反発して、別の対向する側面に面接触して固定できる。
【００２０】
この装身具１０は、図１（２）の２点鎖線で示す初期位置から矢印に示す方向へ回転させると、アーム２０のシャフト２２を中心に、回転体３０が９０度、１８０度（反転）、２７０度、３６０度（初期位置）の回転角度で固定することができる。
このような装身具によれば、図１（１）に示すように回転体３０とアーム２０を同一平面上に配置したときには、アームにチェーンなどを挿通することによりネックレスとして使用できる。このとき、回転体は自由回転せずに固定されているため、回転体に施された装飾、デザインなどを見栄え良くできる。
また図１（２）の２点破線に示すように、同一平面から９０度回転体を回転させて固定することにより指輪として使用できる。また、回転体に施された装飾、デザインを上面（表面）に向けて固定し販売時に容易に陳列することができる。
【００２１】
［変形例１］
図４は本考案の装身具の変形例１の説明図である。本考案のシャフト２２は、すくなくとも一部の断面形状が多角形状であれば良い。図示の当接部２４Ａは、断面形状が六角形である。このような当接部２４Ａであっても、アーム２０のシャフト２２を中心に、回転体３０が６０度、１２０度、１８０度（反転）、２４０度、３００度、３６０度（初期位置）の回転角度で固定することができる。
また、板ばね５２を一対のうちいずれか一方のみの構成にした場合には、当接部２４の断面形状が三角形、五角形など対向する側面がない場合であっても適用することができる。
このような変形例１の装身具によれば、簡易な構成で、多角形状に応じて段階的に回転体を任意の回転角度でアームに固定することができ、かつ回転体を小型化することができ、指輪、ネックレスなどの装身具として有効利用できる。
【００２２】
［変形例２］
図５は、本考案の装身具の変形例２の説明図である。なお図５は回転体のカバーを省略して示している。付勢部は、当接部と所定の付勢力で面接触できるものであれば良く、同図に示すような圧縮コイルばね５４を適用することもできる。
圧縮コイルばね５４は、第３溝４４に４つ取り付けて、ばねの一端を第３溝４４の側面に固定し、他端が当接部２４と所定の付勢力で面接触するように取り付けている。なお圧縮コイルばね５４はシャフトを間に挟むように回転体に一対設ける構成であっても良い。
このような変形例２の装身具によれば、簡易な構成で、回転体を任意の回転角度でアームに固定することができ、かつ回転体を小型化することができ、指輪、ネックレスなどの装身具として有効利用できる。
【産業上の利用可能性】
【００２３】
本考案は、指輪、ネックレスなどの装身具の製造分野において産業上利用できる。
【符号の説明】
【００２４】
１０………装身具、２０………アーム、２２………シャフト、２４………当接部、３０………回転体、３２………ケーシング、３４………カバー、３５………カバー側溝、３６………第１溝、３８………第２溝、４０………凹部、４２………凸部、４４………第３溝、５０………回転角度調整手段、５２………板ばね、５４………圧縮コイルばね。
【図１】
0003205733.tif 000003
【図２】
0003205733.tif 000004
【図３】
0003205733.tif 000005
【図４】
0003205733.tif 000006
【図５】
0003205733.tif 000007